(57)【要約】      （修正有）【課題】上着に設けられたラインを目で確認することで、着用者が想定する姿勢を維持しているかを判断可能となる上着を提供する。【解決手段】姿勢維持の目安とするためのラインＬを備えた上着Ａであって、左袖部及び右袖部を有し、中央に上下方向のラインを有し、ラインを軸として左右対称となっており、ラインが、前身頃１の中央に一直線に設けられた前ラインＦＬと、後身頃の中央に一直線に設けられた後ラインとであり、左袖部の前面、前身頃、及び右袖部の前面を通じて、左右方向に一直線の前横ラインＨＦＬを有する上着。【選択図】図７
0003233315.tif 000002
【実用新案登録請求の範囲】
【請求項１】
姿勢維持の目安とするためのラインを備えた上着であって、
中央に上下方向のラインを有し、
該ラインを軸として左右対称となっている上着。
【請求項２】
前記ラインが、前身頃の中央に一直線に設けられた前ラインである請求項１記載の上着。
【請求項３】
前記ラインが、後身頃の中央に一直線に設けられた後ラインである請求項１又は２記載の上着。
【請求項４】
左袖部及び右袖部を有し、
左袖部の前面、前記前身頃、及び右袖部の前面を通じて、左右方向に一直線の前横ラインを有する請求項１〜３いずれか１項に記載の上着。
【請求項５】
左袖部及び右袖部を有し、
前記左袖部の後面、前記後身頃、及び前記右袖部の後面を通じて、左右方向に一直線の後横ラインを有する請求項１〜３いずれか１項に上着。
【請求項６】
前身頃と後身頃との左右の境界部に、上下方向に一直線のサイドラインを有する請求項１〜５いずれか１項に記載の上着。
【考案の詳細な説明】
【技術分野】
【０００１】
本考案は上着に関し、上着に設けられたラインを確認することで、着用者が想定する姿勢を維持しているかを判断可能な上着に関する。
【背景技術】
【０００２】
健康維持のため、適度の運動や筋肉のトレーニングが推奨されることは周知の事実である。
現代の住宅事情や生活環境においては、省スペース且つ静音で実施できるトレーニングが好まれる。
【０００３】
省スペース且つ静音で実施できるトレーニングの代表として、一定の姿勢を維持するプランクが知られている。
プランクの例としては、例えばうつ伏せとなった状態で両肘で体を支え、頭部から踵にかけて一直線の状態を一定時間維持し体幹を鍛えるものがある。
【０００４】
ところで、トレーニングにおいては、専用の衣類を着用することが通常である。トレーニング用の衣類として種々のものが開発されている（例えば、特許文献１及び特許文献２）。
【先行技術文献】
【特許文献】
【０００５】
【特許文献１】特開２００４−１００１１６号公報
【特許文献２】意匠登録第１２２５２７８号公報
【考案の概要】
【考案が解決しようとする課題】
【０００６】
プランクを効果的に行うためには、一定の姿勢を維持することが重要であるところ、これを視覚的に確認することは容易ではない。
【０００７】
特に一人でプランクを行う場合は、鏡を通じて姿勢を確認する他なく、その状態を見渡せる範囲も限られる。
特許文献１及び特許文献２の衣類は、装飾性を追求したものであり、姿勢維持を目的に設けられたものではなく、視覚的に着用者が想定する姿勢を維持できているか確認する補助とはならない。
【０００８】
本考案は、上述の課題を受けて開発されたものである。
すなわち、本考案は上着に関し、上着に設けられたラインを目で確認することで、着用者が想定する姿勢を維持しているかを判断可能となる上着を提供することを目的とする。
【課題を解決するための手段】
【０００９】
本考案者は鋭意検討の結果、ラインを上着の特定の位置に施すことにより上記課題を解決可能であることを見出した。本考案はこの知見に基づくものである。
【００１０】
すなわち、本考案は（１）、姿勢維持の目安とするためのラインを備えた上着であって、中央に上下方向のラインを有し、ラインを軸として左右対称となっている上着に存する。
【００１１】
また、本考案は（２）、ラインが、前身頃の中央に一直線に設けられた前ラインである上記（１）記載の上着に存する。
【００１２】
また、本考案は（３）、ラインが、後身頃の中央に一直線に設けられた後ラインである上記（１）又は（２）記載の上着に存する。
【００１３】
また、本考案は（４）、左袖部及び右袖部を有し、左袖部の前面、前身頃、及び右袖部の前面を通じて、左右方向に一直線の前横ラインを有する上記（１）〜（３）いずれか１つに記載の上着に存する。
【００１４】
また、本考案は（５）、左袖部及び右袖部を有し、左袖部の後面、後身頃、及び右袖部の後面を通じて、左右方向に一直線の後横ラインを有する上記（１）〜（５）いずれか１つに記載の上着に存する。
【００１５】
また、本考案は（６）前身頃と後身頃との左右の境界部に、上下方向に一直線のサイドラインを有する上記（１）〜（３）いずれか１つに記載の上着に存する。
【考案の効果】
【００１６】
本考案の上着は中央に上下方向のラインを有し、該ラインを軸として左右対称となっていることにより、プランク等を行う際に着用者が想定する姿勢を維持しているか否かを、視覚的に容易に確認することが可能となる。
また、ラインが見えればラインの向きによって姿勢を判断できるため、着用者自身が鏡を介して姿勢を確認するような場合であっても、容易に視覚的に姿勢を確認することが可能となる。
【００１７】
本考案の上着は、ラインが前身頃の中央に一直線に設けられた前ラインであることにより、少なくとも着用者の前面側から、着用者の姿勢を視覚的に確認することが可能となる。
【００１８】
本考案の上着は、ラインが後身頃の中央に一直線に設けられた後ラインであることにより、少なくとも着用者の後面側から、着用者の姿勢を視覚的に確認することが可能となる。
【００１９】
本考案の上着は、左袖部及び右袖部を有し、左袖部の前面、前身頃、及び右袖部の前面を通じて、左右方向に一直線の前横ラインを有することにより、少なくとも着用者の前面側から、着用者の姿勢における左右方向の傾きを容易に確認することが可能となる。
【００２０】
本考案の上着は、左袖部及び右袖部を有し、左袖部の後面、後身頃、及び右袖部の後面を通じて、左右方向に一直線の後横ラインを有することにより、少なくとも着用者の後面側から、着用者の姿勢における左右方向の傾きを容易に確認することが可能となる。
【００２１】
本考案の上着は、前身頃と後身頃との左右の境界部に、上下方向に一直線のサイドラインを有することにより、少なくとも着用者の側面から姿勢を確認することが可能となる。
【図面の簡単な説明】
【００２２】
【図１】図１は、前ラインを有する上着を示す前面図である。
【図２】図２は、後ラインを有する上着を示す後面図である。
【図３】図３は、前ラインに加え前横ラインを有する上着を示す前面図である。
【図４】図４は、後ラインに加え後横ラインを有する上着を示す後面図である。
【図５】図５は、前ラインに加えサイドラインを有する上着を示す前面図である。
【図６】図６は、後ラインに加えサイドラインを有する上着を示す後面図である。
【図７】図７は、前ライン、前横ライン及びサイドラインを有する上着を示す前面図である。
【図８】図７は、後ライン、後横ライン及びサイドラインを有する上着を示す前面図である。
【図９】図９は、図１に示す上着を着用した状態を示す模式図である。
【図１０】図１０は、図１に示す上着を着用した状態を示す模式図である。
【図１１】図１１は、図６に示す上着を着用した状態を示す模式図である。
【図１２】図１２は、図６に示す上着を着用した状態を示す模式図である。
【図１３】図１３は、ラインの他の実施例を示す模式図である。
【図１４】図１４は、ラインの他の実施例を示す模式図である。
【考案を実施するための形態】
【００２３】
以下、必要に応じて図面を参照しつつ、本考案の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２４】
図１は、前ラインＦＬを有する上着Ａを示す前面図である。
本実施例において、本考案の上着Ａは、いわゆる半袖Ｔシャツである。
上着Ａは、前身頃１、後身頃２、左袖部３及び右袖部４を有し、左右対称の形状となっている。
【００２５】
上着Ａは、前身頃１にその中央に上下方向に設けられた一直線のラインＬ（前ラインＦＬ）を有する。
ラインＬは、例えばプリント等により設けられ、地の部分と視覚的に区別可能に設けられる。
本実施例において、ラインＬは前身頃１の地色と異なる色彩がプリントされた状態にある。
したがって、前身頃１の地色とは明確に目で区別することが可能である。
以下、後述する後ラインＢＬ、前横ラインＨＦＬ、後横ラインＨＢＬ、及びサイドラインＳＬも同様の方法により設けられる。
上述の通り、上着Ａは左右対称であり、前身頃１の中央に設けられた前ラインＦＬの中央が、その対称軸となっている。
各ラインＬの幅は、１ｃｍ〜５ｃｍが好ましい。
これにより、ラインＬの視認性が向上し、容易に着用者の姿勢を確認することが可能となる。
【００２６】
上着Ａは、前ラインＦＬを有し、前ラインＦＬを軸として左右対称となっていることにより、着用者が想定する姿勢を維持しているか否かを、少なくとも着用者の前面側から、視覚的に容易に確認することが可能となる。
【００２７】
図２は、後ラインＢＬを有する上着Ａを示す後面図である。
上着Ａは、後身頃２にその中央に上下方向に設けられた一直線のラインＬ（後ラインＢＬ）を有する。後ラインＢＬは前ラインＦＬ同様に、その中央を対称軸として上着Ａが左右対称となる位置に設けられている。
後ラインＢＬを有することにより、少なくとも着用者の後面側から着用者の姿勢を視覚的に確認することが可能となる。
【００２８】
図３は、前ラインＦＬに加え前横ラインＨＦＬを有する上着Ａを示す前面図である。
前ラインＦＬについては、上述の通りであり割愛する。
左袖部３、前身頃１、及び右袖部４は、その前面を通じて左右方向に一直線の前横ラインＨＦＬを有する。前横ラインＨＦＬは、上着Ａを着用した着用者が、両腕を左右に伸ばして水平にした場合に、水平に一直線となるように連続して設けられている。
前横ラインＨＦＬを有することにより、少なくとも着用者の前面側から、着用者の姿勢における左右方向の傾きを容易に確認することが可能となる。
例えば、着用者が直立した場合に、着用者に自覚のない左右の傾きや偏りを容易に確認することができる。
【００２９】
図４は、後ラインＢＬに加え後横ラインＨＢＬを有する上着Ａを示す後面図である。
後ラインＢＬについては、上述の通りであるため割愛する。
左袖部３、後身頃２、及び右袖部４は、その後面を通じて左右方向に一直線の後横ラインＨＢＬを有する。
後横ラインＨＢＬは、前横ラインＨＦＬと同様に、上着Ａを着用した着用者が、両腕を水平にした場合に、水平に一直線となるように連続して設けられている。
後横ラインＨＢＬを有することにより、少なくとも着用者の後面側から、着用者の姿勢における左右方向の傾きを容易に確認することが可能となる。
例えば、着用者が直立した場合に、着用者に自覚のない左右の傾きや偏りを容易に確認することができる。
【００３０】
図５は、前ラインＦＬに加えサイドラインＳＬを有する上着Ａを示す前面図である。
また、図６は、後ラインＢＬに加えサイドラインＳＬを有する上着Ａを示す後面図である。
前ラインＦＬ及び後ラインＢＬについては上述の通りであり、割愛する。
前身頃１と後身頃２との境目は折りたたんだ状態で、左右両端において境界部５を形成している。
境界部５において、上着Ａは上下方向に一直線のサイドラインＳＬを有する。
具体的には、前身頃１及び後身頃２にそれぞれ形成されたラインＬが境界部５で一体となってサイドラインＳＬを形成している。
上着ＡはサイドラインＳＬを有することにより、少なくとも着用者の側面から着用者の姿勢を確認することが可能となる。
【００３１】
図７は、前ラインＦＬ、前横ラインＨＦＬ、サイドラインＳＬを有する上着Ａを示す前面図である。
図８は、後ラインＢＬ、後横ラインＨＢＬ、サイドラインＳＬを有する上着Ａを示す後面図である。
上述した前ラインＦＬ、後ラインＢＬ、前横ラインＨＦＬ、後横ラインＨＢＬ、及びサイドラインＳＬは、適宜組み合わせることが可能である。
例えば、図７及び図８に示すように、上着Ａは、これらのラインＬを全て有してもよい。
【００３２】
図９及び図１０は、図１に示す上着Ａを着用した状態を示す模式図である。
図９及び図１０において、着用者は前ラインＦＬのみを有する上着Ａを着用している。
本考案の上着Ａを着用することにより、着用者の姿勢を容易に確認することが可能となる。
図９においては、前ラインＦＬが一直線となっておらず、着用者が真っ直ぐに直立していないことが上着Ａにより視覚的に確認できる。
一方で、図１０においては前ラインＦＬが一直線となっており、着用者が真っ直ぐに直立していることを、視覚的に確認できる。
【００３３】
図１１は、図６に示す上着Ａを着用した状態を示す模式図である。
図１１及び後述する図１２において、着用者は後ラインＢＬ及びサイドラインＳＬを有する上着Ａを着用している。
本考案の上着Ａによる姿勢の確認は、着用者がトレーニングを行う際にも活用することができる。
例えば、プランクにおいては上半身を一直線に保つことが重要であるところ、図１１の例においては、後ラインＢＬ及びサイドラインＳＬが一直線となっていない。
これは、着用者が上半身を一直線に保っていないことを示している。
本考案の上着Ａは、各ラインＬの一部が見えればラインＬの向きによって姿勢を判断できるため、着用者自身が鏡を介して姿勢を確認する場合であっても姿勢を確認することが可能となる。
【００３４】
図１２は、図６に示す上着Ａを着用した状態を示す模式図である。
図１２においては、後ラインＢＬ及びサイドラインＳＬが一直線となっており、着用者の上半身が一直線となっていることが、視覚的に容易に確認できる。
【００３５】
以上、本考案の好適な実施形態について説明したが、本考案は上記実施形態に限定されるものではない。
【００３６】
図１３及び図１４は、ラインＬの他の実施例を示す模式図である。
上記実施例において、ラインＬは１本の直線であるが、図１３に示すように複数の直線を組み合わせたものとしてもよい。
また、図１４に示すように直線の中に適宜の模様が付されたものとしてもよい。いずれの場合でも、ラインＬは、地の部分と目で容易に区別できるものである。
【００３７】
前横ラインＨＦＬ及び後横ラインＨＢＬは、上下方向において適宜の位置に設けることができる。
例えば、図８及び図９に示すように、左袖部３及び右袖部４の下端に前横ラインＨＦＬの下端が接する位置に設けてもよい。
また、サイドラインＳＬは前身頃１と後身頃２との境界部５に１本のラインＬとして設けてもよい。
【００３８】
上記実施例において、上着Ａはいわゆる半袖のＴシャツであったが、長袖のシャツ類や袖のないタンクトップ等、その他の種類の上着Ａであっても適用可能である。
【００３９】
本実施の形態において、各種のラインＬは刺繍や布地の切替等、適宜の方法により設けることも可能である。
【００４０】
各ラインＬの幅や長さは、適宜変更可能である。
例えば、前ラインＦＬを上下方向の全長にわたって設けることにより、前ラインＦＬの視認性が向上し、着用者の姿勢によってラインＬの一部が隠れる場合であっても、着用者の姿勢を容易に確認することが可能となる。
【産業上の利用可能性】
【００４１】
本考案の上着Ａは、トレーニング等において、着用者が想定する姿勢を維持するため、幅広く用いることが可能である。
また、マッサージ等の用途や、部屋着、寝間着としても好適に用いることができる。
また、ラインＬを付す本考案の原理を応用する限り、ズボン等にも適用可能である。
【符号の説明】
【００４２】
Ａ・・・上着
１・・・前身頃
２・・・後身頃
３・・・左袖部
４・・・右袖部
５・・・境界部
Ｌ・・・ライン
ＦＬ・・・前ライン
ＢＬ・・・後ライン
ＨＦＬ・・・前横ライン
ＨＢＬ・・・後横ライン
ＳＬ・・・サイドライン
【図１】
0003233315.tif 000003
【図２】
0003233315.tif 000004
【図３】
0003233315.tif 000005
【図４】
0003233315.tif 000006
【図５】
0003233315.tif 000007
【図６】
0003233315.tif 000008
【図７】
0003233315.tif 000009
【図８】
0003233315.tif 000010
【図９】
0003233315.tif 000011
【図１０】
0003233315.tif 000012
【図１１】
0003233315.tif 000013
【図１２】
0003233315.tif 000014
【図１３】
0003233315.tif 000015
【図１４】
0003233315.tif 000016